(57)【要約】【課題】ページめくりにより目的のページを探し易くページめくりでの電力消費の少ない文書閲覧装置を提供する。【解決手段】電力の消費なしに表示内容を保持でき、表示内容の書き換え時に電力を消費する表示部１５（電子ペーパ）を有し、該表示部に表示するページを操作部１３で受けたページめくり操作に従って切り替える際に、予めユーザから指定された指定領域のみを表示してページを切り替える。指定領域は、タッチパネル上にペンで描いて指定された閉領域、あるいは属性（文字、写真など）が指定された場合はその属性を有するオブジェクトの存在領域となる。【選択図】図２
2014119974.tif 000002
【特許請求の範囲】
【請求項１】
表示部と、
複数ページの文書の中の１または複数ページを前記表示部に表示する表示制御部と、
前記表示部に表示されるページを切り替えるページめくり操作を受ける操作部と、
前記ページめくり操作に従ってページを切り替える際に前記表示部に表示する指定領域の指定を受け付ける領域指定部と、
を備え、
前記表示制御部は、前記表示部に表示するページを前記操作部で受けた前記ページめくり操作に従って切り替える際に、前記指定領域のみを表示してページを切り替える
ことを特徴とする文書閲覧装置。
【請求項２】
前記表示制御部は、前記ページめくり操作を受け付け可能なページめくりモードを解除するとき、前記指定領域のみ表示されているページの全体を前記表示部に表示する
ことを特徴とする請求項１に記載の文書閲覧装置。
【請求項３】
前記領域指定部は、前記表示部の表示面上を移動するペンまたは指の軌跡で囲まれた閉領域を前記指定領域と認識する方法で、前記指定領域の指定を受け付ける
ことを特徴とする請求項１または２に記載の文書閲覧装置。
【請求項４】
前記指定領域は、特定の属性を有するオブジェクトの存在する領域であり、
前記領域指定部は、前記特定の属性の指定を受け付けることで、前記指定領域の指定を受け付ける
ことを特徴とする請求項１または２に記載の文書閲覧装置。
【請求項５】
前記指定領域は、ユーザの指定する場所にあって特定の属性を有するオブジェクトの存在する領域であり、
前記領域指定部は、前記場所の指定と前記特定の属性の指定とを受け付けることで、前記指定領域の指定を受け付ける
ことを特徴とする請求項１または２に記載の文書閲覧装置。
【請求項６】
前記表示制御部は、前記ページめくり操作に従ってページを切り替える際に、前記特定の属性のオブジェクトが存在しないページは飛ばしてその次に前記特定の属性のオブジェクトが存在するページを表示する
ことを特徴とする請求項４または５に記載の文書閲覧装置。
【請求項７】
前記表示制御部は、画像解析によって各オブジェクトの属性を判別する
ことを特徴とする請求項４乃至６のいずれか１つに記載の文書閲覧装置。
【請求項８】
前記表示制御部は、オブジェクトに付加されているタグ情報に基づいて該オブジェクトの属性を判別する
ことを特徴とする請求項４乃至６のいずれか１つに記載の文書閲覧装置。
【請求項９】
前記指定領域は、前記表示部の表示面を分割した複数のブロックの中から選択された１または複数のブロックの存在する領域であり、
前記領域指定部は、前記ブロックの選択を受け付けることで、前記指定領域の指定を受け付ける
ことを特徴とする請求項１または２に記載の文書閲覧装置。
【請求項１０】
前記表示制御部は、前記表示部に表示するページを前記ページめくり操作に従って切り替える際に、前記指定領域以外は空白を表示する
ことを特徴とする請求項１乃至９のいずれか１つに記載の文書閲覧装置。
【請求項１１】
前記操作部は、ページめくり操作を受ける操作釦を有し、
前記表示制御部は、前記操作釦が継続して押下されている間はページめくり操作を続けて受けていると認識し、前記操作釦の継続した押下が途絶えたとき、前記ページめくりモードを解除する
ことを特徴とする請求項２に記載の文書閲覧装置。
【請求項１２】
前記表示制御部は、前記ページめくり操作に従って前記表示部に表示したページが最終ページの場合は、前記ページめくりモードを解除する
ことを特徴とする請求項２または１１に記載の文書閲覧装置。
【請求項１３】
前記表示部は、電力の消費なしに表示内容を保持でき、表示内容の書き換え時に電力を消費する電子ペーパである
ことを特徴とする請求項１乃至１２のいずれか１つに記載の文書閲覧装置。
【請求項１４】
情報処理装置を、
請求項１乃至１３のいずれか１つに記載の文書閲覧装置として機能させる
ことを特徴とするプログラム。
【発明の詳細な説明】
【技術分野】
【０００１】
本発明は、文書を表示する文書閲覧装置およびプログラムに関する。
【背景技術】
【０００２】
文書を閲覧するための端末装置では、ページ切り替え釦を操作したり、スクリーンにタッチしてフリックしたりすることで、表示されているページを前後のページに切り替える、いわゆる、ページめくり機能を備えたものがある（たとえば、特許文献１〜３参照）。
【０００３】
また、閲覧中の文書から目的のページを素早く表示させることができるように、複数ページをまとめて一度にめくることを可能にした端末装置がある（たとえば、下記特許文献３参照）。
【０００４】
複数ページをまとめて一度にめくる方法は、ユーザが目的のページの場所（何ページ目あたりか）を知っているときは便利であるが、そうでない場合は、１ぺージずつめくりながら、表示内容を確認して、目的の画像や記事の掲載されているページを探さなければならない。
【０００５】
このような１ページずつめくりながらの検索を補助するために、表示画面を高速に入れ替えて大雑把にページを検索できる機能、すなわち、実物の書籍のように、ぱらぱらとページをめくるように表示ページを切り替える機能を備えた携帯情報機器がある（下記特許文献２参照）。
【先行技術文献】
【特許文献】
【０００６】
【特許文献１】特開２０１１−１８６９０４号公報
【特許文献２】特開２０００−１６３１９３号公報
【特許文献３】特開２０１２−７９１５６５号公報
【発明の概要】
【発明が解決しようとする課題】
【０００７】
１ページずつめくりながら目的のページを探す場合、ユーザは、目的の記事や画像がページの中のどの辺り（右上、中央など）にあるかを知っている場合がある。また、目的のページを探す手がかりが、画像、図形、記事（文字）などの種類（属性）を認識していることは多い。
【０００８】
そのような場合でも、従来のページめくりでは、ページ全体が表示されるので、余計な情報も表示されてしまい、かえって目的の情報が掲載されているページを探し難いという問題があった。
【０００９】
また、表示デバイスが、電力の消費なしに表示内容を保持でき、表示内容の書き換え時に電力を消費する電子ペーパの場合、ぱらぱらとページをめくる様子をそのままページ全体を書き換えながら表示すると、消費電力が多くなり、バッテリーでの電子ペーパの駆動可能時間に大きな影響を与えてしまう。
【００１０】
本発明は、上記の問題を解決しようとするものであり、ページめくりで目的のページを探す際の利便性を向上させること、およびページめくりで消費される電力を少なく抑えることのできる文書閲覧装置およびプログラムを提供することを目的としている。
【課題を解決するための手段】
【００１１】
かかる目的を達成するための本発明の要旨とするところは、次の各項の発明に存する。
【００１２】
［１］表示部と、
複数ページの文書の中の１または複数ページを前記表示部に表示する表示制御部と、
前記表示部に表示されるページを切り替えるページめくり操作を受ける操作部と、
前記ページめくり操作に従ってページを切り替える際に前記表示部に表示する指定領域の指定を受け付ける領域指定部と、
を備え、
前記表示制御部は、前記表示部に表示するページを前記操作部で受けた前記ページめくり操作に従って切り替える際に、前記指定領域のみを表示してページを切り替える
ことを特徴とする文書閲覧装置。
【００１３】
上記発明では、文書閲覧装置は、ページめくり中は、ユーザから指定された指定領域のみを表示してページを切り替える。指定領域の指定方法は任意でよい。
【００１４】
［２］前記表示制御部は、前記ページめくり操作を受け付け可能なページめくりモードを解除するとき、前記指定領域のみ表示されているページの全体を前記表示部に表示する
ことを特徴とする［１］に記載の文書閲覧装置。
【００１５】
上記発明では、ページめくり操作を受け付けるページめくりモードを解除する際に、指定領域のみ表示する状態からページ全体を表示する状態に切り替わる。
【００１６】
［３］前記領域指定部は、前記表示部の表示面上を移動するペンまたは指の軌跡で囲まれた閉領域を前記指定領域と認識する方法で、前記指定領域の指定を受け付ける
ことを特徴とする［１］または［２］に記載の文書閲覧装置。
【００１７】
上記発明では、表示部の表示面上を移動するペンまたは指の軌跡で囲むことで、該軌跡で囲まれた閉領域が指定領域に指定される。
【００１８】
［４］前記指定領域は、特定の属性を有するオブジェクトの存在する領域であり、
前記領域指定部は、前記特定の属性の指定を受け付けることで、前記指定領域の指定を受け付ける
ことを特徴とする［１］または［２］に記載の文書閲覧装置。
【００１９】
上記発明では、特定の属性を指定することで、その特定の属性を有するオブジェクトの存在する領域が指定領域になる。
【００２０】
［５］前記指定領域は、ユーザの指定する場所にあって特定の属性を有するオブジェクトの存在する領域であり、
前記領域指定部は、前記場所の指定と前記特定の属性の指定とを受け付けることで、前記指定領域の指定を受け付ける
ことを特徴とする［１］または［２］に記載の文書閲覧装置。
【００２１】
上記発明では、ユーザの指定する場所にあり、かつ特定の属性を有するオブジェクトの存在する領域が指定領域となる。場所は、［３］のようにペンや指の移動軌跡で囲まれた閉領域であってもよいし、別途の方法で指定された場所であってもよい。
【００２２】
［６］前記表示制御部は、前記ページめくり操作に従ってページを切り替える際に、前記特定の属性のオブジェクトが存在しないページは飛ばしてその次に前記特定の属性のオブジェクトが存在するページを表示する
ことを特徴とする［４］または［５］に記載の文書閲覧装置。
【００２３】
上記発明では、指定された属性を有するオブジェクトが存在しないページは、もしくは指定された場所に指定された属性のオブジェクトが存在しないページは、ページめくりにおいて表示されずにスキップされる。
【００２４】
［７］前記表示制御部は、画像解析によって各オブジェクトの属性を判別する
ことを特徴とする［４］乃至［６］のいずれか１つに記載の文書閲覧装置。
【００２５】
上記発明では、画像解析によりオブジェクトの属性（文字、写真、図形、色、字体など）を認識して、指定された属性を有するオブジェクトか否かを判断する。
【００２６】
［８］前記表示制御部は、オブジェクトに付加されているタグ情報に基づいて該オブジェクトの属性を判別する
ことを特徴とする［４］乃至［６］のいずれか１つに記載の文書閲覧装置。
【００２７】
上記発明では、表示データを作成するパーソナルコンピュータなどが各オブジェクトに付加したタグ情報に基づいてオブジェクトの属性を判別し、指定された属性を有するオブジェクトか否かを判断する。
【００２８】
［９］前記指定領域は、前記表示部の表示面を分割した複数のブロックの中から選択された１または複数のブロックの存在する領域であり、
前記領域指定部は、前記ブロックの選択を受け付けることで、前記指定領域の指定を受け付ける
ことを特徴とする［１］または［２］に記載の文書閲覧装置。
【００２９】
上記発明では、表示部の表示面を分割した複数のブロックの中から選択された１または複数のブロックが指定領域に指定される。
【００３０】
［１０］前記表示制御部は、前記表示部に表示するページを前記ページめくり操作に従って切り替える際に、前記指定領域以外は空白を表示する
ことを特徴とする［１］乃至［９］のいずれか１つに記載の文書閲覧装置。
【００３１】
［１１］前記操作部は、ページめくり操作を受ける操作釦を有し、
前記表示制御部は、前記操作釦が継続して押下されている間はページめくり操作を続けて受けていると認識し、前記操作釦の継続した押下が途絶えたとき、前記ページめくりモードを解除する
ことを特徴とする［２］に記載の文書閲覧装置。
【００３２】
［１２］前記表示制御部は、前記ページめくり操作に従って前記表示部に表示したページが最終ページの場合は、前記ページめくりモードを解除する
ことを特徴とする［２］または［１１］に記載の文書閲覧装置。
【００３３】
上記発明では、ページめくり操作に応じて表示したページが最終ページの場合、ページめくりモードが自動的に解除され、該最終ページの全体が表示される。なお、文書の末尾から先頭方向へページめくりしている場合には、先頭ページが上記の最終ページとなる。
【００３４】
［１３］前記表示部は、電力の消費なしに表示内容を保持でき、表示内容の書き換え時に電力を消費する電子ペーパである
ことを特徴とする［１］乃至［１２］のいずれか１つに記載の文書閲覧装置。
【００３５】
上記発明では、ページめくりモードでは指定領域のみ表示するので、ページめくり操作に従ってページを切り替える際の書き換え量が少なくなり、ページめくりに伴う電力消費を抑えることができる。
【００３６】
［１４］情報処理装置を、
［１］乃至［１３］のいずれか１つに記載の文書閲覧装置として機能させる
ことを特徴とするプログラム。
【発明の効果】
【００３７】
本発明に係る文書閲覧装置およびプログラムによれば、ページめくり中は指定領域だけが表示されるので、ユーザはその指定領域の表示に注目すればよく、ページめくりで目的のページを探す際の利便性が向上する。また、表示デバイスが電子ペーパの場合、ページめくりで消費される電力を少なく抑えることができる。
【図面の簡単な説明】
【００３８】
【図１】本発明の実施の形態に係る文書閲覧装置およびその利用形態の概要を示す図である。
【図２】本発明の実施の形態に係る文書閲覧装置の電気系概略構成を示すブロック図である。
【図３】電気泳動方式の表示部の概略構造を示す図である。
【図４】ページめくり設定画面の一例を示す図である。
【図５】ページめくり設定画面の他の一例を示す図である。
【図６】指定領域の設定を行わずにページめくりの操作を受けた場合の表示例を示す図である。
【図７】指定領域として閉領域が指定された状態でページめくりの操作を受けた場合の表示例を示す図である。
【図８】オブジェクトの属性によって指定領域が指定された状態でページめくりの操作を受けた場合の表示例を示す図である。
【図９】指定した閉領域内であって指定された属性を有するオブジェクトの存在領域を指定領域とする設定でページめくりの操作を受けた場合の表示例を示す図である。
【図１０】文書閲覧装置がページめくりに関して行う処理を示す流れ図である。
【図１１】複数のブロックから指定領域の指定を受ける場合の設定画面例を示す図である。
【発明を実施するための形態】
【００３９】
以下、図面に基づき本発明の実施の形態を説明する。
【００４０】
図１は、本発明に係る文書閲覧装置１０およびその利用形態の概要を示している。
【００４１】
文書閲覧装置１０は、パーソナルコンピュータなどの情報処理装置５などの外部装置と、無線ＬＡＮなどのネットワークを通じて無線通信可能であり、情報処理装置５等から文書のデータを受信し、その文書を表示したり、編集したり、手書きによるメモ書きを付加したりする機能を備えている。また手書きメモを付加するなどの処理を加えた後の文書を、情報処理装置５や印刷装置などの外部装置に送信する機能を備えている。文書閲覧装置１０は、たとえば、印刷前の文書の校閲、校正などに利用される。
【００４２】
文書閲覧装置１０は、Ａ４サイズほどの平板形状を成した携帯端末であり、表面のほぼ全域が表示部１５の表示面になっている。表示部１５は、電力の消費なしに表示内容を保持でき、表示内容の書き換え時に電力を消費する表示装置である。たとえば、電気泳動式の電子ペーパで構成される。
【００４３】
また、表示部１５の表示面上には、指やペンなどでタッチされた位置を検出するタッチパネルが設けてある。文書閲覧装置１０の表示部１５の表示面には、ユーザの操作によって表示内容の書き換えが行われるページ表示領域３１と、その上部に当該文書閲覧装置１０が自動的に表示内容を更新するシステム情報領域３２が設けてある。表示部１５の表示面の右端部には、手書き入力のための各種ツール（ペン、消しゴムなど）、ページめくりモードのオンオフを切り替える操作釦（アイコン）を列挙したツールバー３３が表示されている。
【００４４】
ページ表示領域３１には、閲覧、編集対象の文書や画像が１ページづつ表示される。また、ユーザは、手書き入力によって文書や画像への追記、修正等を行うことができる。
【００４５】
システム情報領域３２には、時計、日付、無線通信の電波強度、バッテリー残量などの情報が表示される。システム情報領域３２の表示内容はシステムにより自動更新される。
【００４６】
文書閲覧装置１０の正面のうち、表示部１５の右横の額縁部分には、ユーザから、表示部１５のページ表示領域３１に表示されている文書のページを前後のページに切り替える操作（ページめくり操作）を受けるためのページめくり釦３４が設けてある。
【００４７】
図２は、文書閲覧装置１０の電気系概略構成を示している。文書閲覧装置１０は、当該文書閲覧装置１０の動作を統括制御するシステム制御部１１に、データ記録部１２と、操作部１３と、表示部１５が配下に接続された表示処理部１４と、通信部１６と、電源状態監視部１７とを接続して構成される。また、各部に電力を供給するための電源ユニット（バッテリー（電池））１８を有する。
【００４８】
システム制御部１１は主にデータの送信、受信制御、データの格納、読み出し指示、表示部１５へのデータ表示指示、システム利用者からの操作指示の入力、指示判定等のシステム全体の制御を行う機能を有する。システム制御部１１は、ＣＰＵ（Central Processing Unit）とＲＯＭ（Read Only Memory）とＲＡＭ（Random Access Memory）とを主要部として構成され、ＲＯＭに格納されたプログラムをＣＰＵが実行することで文書閲覧装置１０としての機能が実現される。ＲＡＭはＣＰＵがプログラムを実行する際に各種のデータを一時的に記憶するためのワークメモリとして使用される。
【００４９】
データ記録部１２は、表示対象の文書や画像のデータやシステム制御で使用するための設定等を格納する機能を有したメモリである。操作部１３はユーザからの操作を受け付ける機能を有し、キースイッチやタッチパネルで構成される。操作部１３において、たとえば、ページめくり操作、ページめくり中の表示領域の指定操作、システムの設定操作などを受ける。
【００５０】
表示処理部１４はシステム制御部１１の指令に従って表示部１５の表示内容を書き換える制御を行う。表示部１５は前述した電気泳動方式の電子ペーパである。表示部１５は縦横の行列状に画素を配列した、所謂、ドットマトリクス型の表示装置である。通信部１６は、外部装置とデータを送受信する機能を果たす。たとえば、文書や画像など表示対象となるデータの受信、当該文書閲覧装置１０で編集後の文書や画像のデータを外部装置へ送信する等の機能を果たす。
【００５１】
電源状態監視部１７は、電源ユニット１８の状態を監視し、供給可能な電力量がどれくらいあるかを検知し、その情報をシステム制御部１１に通知する機能を果たす。電源ユニット１８は文書閲覧装置１０の各部へ電力を供給する電源であり、アルカリ蓄電池、リチウムイオン電池等の二次電池などから構成される。各部の動作をハードウェア回路により制御する構成としてもよい。
【００５２】
図３は、電気泳動方式の表示部１５の概略構造を示している。該電気泳動方式の表示部１５は、表示解像度に対応した多数の電極２１を裏面に配列した透明な樹脂フィルム等からなる前面板２２と、該前面板２２側の各電極２１に対向するように多数の電極２３を一方の面に配列した背面板２４との間に、多数のマイクロカプセル２５を挟み込む構造を有する。マイクロカプセル２５は、負電荷を帯びた黒色顔料２６と正電荷を帯びた白色顔料２７とをオイル等の透明液体と共に透明中空の球体（カプセル）の中に封入して構成される。
【００５３】
前面板２２側の電極２１を背面板２４側の電極２３に対して正電位（＋）にすると、マイクロカプセル２５内の負電荷を帯びた黒色顔料２６が前面板２２側へ移動し、正電荷を帯びた白色顔料２７が背面板２４側へ移動する。これにより、その部分は、前面板２２側から見ると黒が表示された状態になる。一方、前面板２２側の電極２１を背面板２４側の電極２３に対して負電位（−）にすると、マイクロカプセル２５内の負電荷を帯びた黒色顔料２６が背面板２４側へ移動し、正電荷を帯びた白色顔料２７が前面板２２側へ移動する。これにより、その部分は、前面板２２側から見ると白が表示された状態になる。
【００５４】
本実施の形態に示す文書閲覧装置１０は、ページめくり操作に従って表示部１５のページ表示領域３１に表示するページを切り替える際に、各ページのうちの予め指定された領域（指定領域とする）のみを表示するようになっている。
【００５５】
指定領域は、表示部１５の表示面上にペンまたは指で描かれた閉領域、あるいは、オブジェクトの属性（文字、写真、グラフィックなど）、あるいは閉領域と属性の組み合わせによって指定することができる。閉領域が指定された場合は、その指定された閉領域だけがページめくり中に表示される。属性が指定された場合、その属性を有するオブジェクトのみがページめくり中に表示される。閉領域と属性の双方が指定された場合は、指定された閉領域にあり、かつ、指定された属性を有するオブジェクトのみ表示される。
【００５６】
図４は、ページめくり時の指定領域に関する設定を受けるページめくり設定画面４０の一例を示している。ツールバー３３に設けられているページめくり設定釦３５を押下すると、ページめくり設定画面４０が表示され、再度ページめくり設定釦３５を押下するとページめくり設定画面４０が閉じるようになっている。
【００５７】
ページめくり設定画面４０には、ペンで囲んだ閉領域を指定領域として指定する場合にチェックされる閉領域指定欄４１と、文字の属性を有するオブジェクトを指定領域に指定する場合にチェックされる文字領域指定欄４２と、図形の属性を有するオブジェクトを指定領域に指定する場合にチェックされる図形領域指定欄４３と、写真の属性を有するオブジェクトを指定領域に指定する場合にチェックされる写真領域指定欄４４が表示される。
【００５８】
ページめくり設定画面４０では、複数の欄４１〜４４にチェックを記入することができる。たとえば、閉領域指定欄４１と文字領域指定欄４２にチェックを記入すると、指定した閉領域内にあって文字の属性を有するオブジェクトが指定領域に指定される。また、文字領域指定欄４２と図形領域指定欄４３にチェックを記入すると、文字の属性を有するオブジェクトと図形の属性を有するオブジェクトの双方が指定領域に指定される。なお、チェックの記入は表示部１５の表示面上にペンなどで直接行われる。
【００５９】
閉領域指定欄４１にチェックを記入した後にページめくり設定釦３５を押下してページめくり設定画面４０を閉じると、閉領域の指定をペン入力によって受け付ける閉領域指定状態に入る。該閉領域指定状態では、表示部１５の表示面（タッチパネル）上でペンや指を移動させてその軌跡で閉領域を作ると、その閉領域が指定領域に設定される。閉領域は複数指定することができる。再度、ページめくり設定釦３５を押下すると、閉領域指定状態は解除される。
【００６０】
図５は、より細かく属性を指定することが可能なページめくり設定画面５０の一例を示している。ページめくり設定画面５０についても、ツールバー３３に設けられているページめくり設定釦３５を押下すると表示され、再度ページめくり設定釦３５を押下すると閉じるようになっている。
【００６１】
ページめくり設定画面５０は、ページめくり設定画面４０に比べてより細かく属性を指定することができる。ページめくり設定画面５０には、ペンで囲んだ閉領域を指定領域として指定する場合にチェックされる閉領域指定欄５１がある。また文字領域を詳細に指定するために、文字領域にありかつ見出し文字の属性を有する文字（オブジェクト）を指定領域に指定する場合にチェックされる見出し文字指定欄５２と、文字領域にありかつ斜体の属性を有する文字（オブジェクト）を指定領域に指定する場合にチェックされる斜体文字指定欄５３と、文字領域にありかつ太字の属性を有する文字（オブジェクト）を指定領域に指定する場合にチェックされる太字指定欄５４と、文字領域にありかつ下線の施された文字（オブジェクト）を指定領域に指定する場合にチェックされる下線付き文字指定欄５５が設けられている。
【００６２】
これらの下方には、図形の属性を有するオブジェクトを指定領域に指定する場合にチェックされる図形領域指定欄５６と、写真の属性を有するオブジェクトを指定領域に指定する場合にチェックされる写真領域指定欄５７が表示される。
【００６３】
さらにその下方には、オブジェクトの色で指定領域を指定するために、赤の属性を有するオブジェクトを指定領域に指定する場合にチェックされる赤指定欄５８と、緑の属性を有するオブジェクトを指定領域に指定する場合にチェックされる緑指定欄５９と、青の属性を有するオブジェクトを指定領域に指定する場合にチェックされる青指定欄６０と、黒の属性を有するオブジェクトを指定領域に指定する場合にチェックされる黒指定欄６１が設けられている。
【００６４】
ページめくり設定画面５０においても、複数の欄５１〜６１にチェックを記入することができる。また、閉領域指定欄５１がチェックされた場合におけるペンや指の軌跡による閉領域の指定方法はページめくり設定画面４０の場合と同一でありその説明は省略する。
【００６５】
ページめくり設定画面４０、５０において１つもチェックがされない場合は、指定領域の指定がないため、全ページがページめくり中に表示される。
【００６６】
表示されている文書内の各オブジェクトの属性を認識する方法には、文書閲覧装置１０側で領域判別を行って認識する第１方法と、情報処理装置５などで文書のデータに含まれる各オブジェクトに付加されるそのオブジェクトの属性を示すタグ情報で認識する第２方法がある。
【００６７】
第１方法で領域判別を行う場合、複写機などで一般的に行われる原稿内の各領域を画像判別処理によって判別する方法を使用することができる。たとえば、画像を周波数分解し、高周波数領域は画像が白黒と頻繁に入れ替わるところなので、文字領域と判別する。また、低周波数領域は画像に変化が少ない領域なので、写真領域または図形領域と判別する。このような既知の画像判別手法で領域の属性を認識する。
【００６８】
第２方法では、文書閲覧装置１０は情報処理装置５から受信した文書や画像のデータに付加されているタグ情報から各オブジェクトの属性を認識する。情報処理装置５側では、文書や画像データの中に各オブジェクトの属性を示すタグ情報を付加する方法、あるいは文書や画像データに対応した属性画像データを追加してもよい。
【００６９】
図６は、指定領域の設定を行わずにページめくりの操作を受けた場合の表示例を示している。同図（ａ）は、ページめくり釦３４をユーザが押下操作して、次のページ（ページめくり開始後の１ページ目）が表示された状態を示し、同図（ｂ）は、そのままページめくり釦３４を押下し続けて、更に次のページ（２ページ目）が表示された状態を示している。
【００７０】
図７は、指定領域として閉領域が指定された状態でページめくりの操作を受けた場合の表示例を示している。表示対象の文書は図６と同一である。図中の楕円形の閉領域が指定領域７１である。
【００７１】
同図（ａ）は、ページめくり釦３４をユーザが押下操作して、次のページ（ページめくり開始後の１ページ目）が表示された状態を示し、同図（ｂ）は、そのままページめくり釦３４を押下し続けて、更に次のページ（２ページ目）が表示された状態を示している。
【００７２】
文書閲覧装置１０は、ページめくり釦３４が押下操作されると、ページめくりモードに入る。  ページめくりモードに入っている間、指定領域７１のみ各ページの内容が表示され、ページめくりに伴って更新される。一方、指定領域７１以外の部分は空白（白）の表示が継続される。また、閉領域を指定領域７１とする場合、該閉領域の内外を示す境界線が表示される。これにより、表示中のページの指定領域７１（閉領域）に対応する部分が実際に空白であっても、ユーザは指定領域７１の場所を認識できる。
【００７３】
ページめくり釦３４が押下され続けている間、表示されるページが所定時間（たとえば、１秒）毎に切り替えられてページめくりが実行される。ユーザがページめくり釦３４から指を離して押下の継続が終了すると、文書閲覧装置１０はページめくりモードを終了させて解除する。また、文書閲覧装置１０は、ページめくりによって表示したページが、そのページめくりの方向における文書の最終ページになると、ページめくり釦３４が押下されていても、ページめくりモードを強制的に終了させて解除する。そして、ページめくりモードを解除したとき、文書閲覧装置１０は表示中のページの全体を表示する。
【００７４】
図８は、オブジェクトの属性によって指定領域を指定するように設定された状態でページめくりの操作を受けた場合の表示例を示している。表示対象の文書は図６と同一である。この例では、写真の属性が指定されている。
【００７５】
同図（ａ）は、ページめくり釦３４をユーザが押下操作して、次のページ（ページめくり開始後の１ページ目）が表示された状態を示し、同図（ｂ）は、そのままページめくり釦３４を押下し続けて、更に次のページ（２ページ目）が表示された状態を示している。
【００７６】
ページめくりモードに入っている間、各ページの中で写真の属性を有するオブジェクト７２のみが指定領域として表示される。オブジェクトの表示位置は、そのページ内での各オブジェクトの実際の配置のままであって変更されない。
【００７７】
指定された属性を有するオブジェクト以外の部分は空白（白）が表示される。また文書閲覧装置１０は、ページめくり操作に従ってページを切り替える際に、指定された属性のオブジェクトが存在しないページは飛ばしてその次に該指定された属性のオブジェクトが存在するページを表示する。たとえば、現在２ページ目を表示しており、３ページ目および４ページ目に指定された属性を有するオブジェクトが１つもなく、５ページ目に指定された属性を有するオブジェクトが存在する場合には、２ページ目の次に５ページ目が表示される。
【００７８】
図９は、指定した閉領域内であって指定された属性を有するオブジェクトの存在する領域を指定領域とするように設定された状態でページめくりの操作を受けた場合の表示例を示している。表示対象の文書は図６と同一である。この例では、閉領域と文字の属性が指定されている。
【００７９】
同図（ａ）は、ページめくり釦３４をユーザが押下操作して、次のページ（ページめくり開始後の１ページ目）が表示された状態を示し、同図（ｂ）は、そのままページめくり釦３４を押下し続けて、更に次のページ（２ページ目）が表示された状態を示している。
【００８０】
ページめくりモードに入っている間、各ページの中で指定された閉領域７３内にありかつ文字の属性を有するオブジェクトのみが指定領域として表示される。オブジェクトの表示位置は、そのページ内での各オブジェクトの実際の配置のままであって変更されない。また閉領域７３の内外を示す境界線が表示される。
【００８１】
該境界線および指定された閉領域７３内にありかつ指定された属性を有するオブジェクト以外の部分は空白（白）が表示される。また文書閲覧装置１０は、ページめくり操作に従ってページを切り替える際に、指定された閉領域内に指定された属性のオブジェクトが存在しないページは飛ばしてその次に該指定された閉領域内に指定された属性のオブジェクトが存在するページを表示する。
【００８２】
図８、図９に示す場合においても、図７と同様に以下のように動作する。ページめくり釦３４が押下され続けている間、表示されるページが所定時間（たとえば、１秒）毎に切り替えられてページめくりが実行される。ユーザがページめくり釦３４から指を離して押下の継続が終了すると、文書閲覧装置１０はページめくりモードを終了させて解除する。また、文書閲覧装置１０は、ページめくりによって表示したページが、そのページめくりの方向における文書の最終ページになると、ページめくり釦３４が押下されていても、ページめくりモードを強制的に終了させて解除する。そして、ページめくりモードを解除したとき、文書閲覧装置１０は表示中のページの全体を表示する。
【００８３】
図１０は、文書閲覧装置１０がページめくりに関して行う処理の流れを示している。まず、ページめくり設定画面４０またはページめくり設定画面５０にて指定領域の指定を受け付ける（ステップＳ１０１）。
【００８４】
ページめくり設定釦３５の押下によるページめくり操作を受けない場合は（ステップＳ１０２；Ｎｏ）、本処理を終了する。ページめくり操作を受けたら（ステップＳ１０２；Ｙｅｓ）、ページめくりモードに入る。そして、指定領域が指定されているか否かを判断する（ステップＳ１０３）。
【００８５】
指定領域の指定がなければ（ステップＳ１０３；Ｎｏ）、現在のページめくり方向での次のページ（以後、次ページとする）の全体を表示部１５に表示して（ステップＳ１０４）、ステップＳ１１０へ移行する。
【００８６】
指定領域の指定がある場合は（ステップＳ１０３；Ｙｅｓ）、次ページにおいて指定領域に該当するオブジェクトが存在するか否かを判断する（ステップＳ１０５）。詳細には、属性の指定がなく閉領域のみで指定領域が指定されている場合は該当オブジェクトありと判断する。閉領域の指定がなく属性により指定領域の指定がされている場合は、次ページに該属性を有するオブジェクト（該当オブジェクト）があるか否かを判断する。閉領域と属性により指定領域の指定がされている場合は、次ページの該指定された閉領域内に該指定された属性を有するオブジェクト（該当オブジェクト）があるか否かを判断する。
【００８７】
該当オブジェクトがない場合は（ステップＳ１０５；Ｎｏ）、該次ページが表示中の文書の現在のページめくり方向における最終ページか否かを調べる（ステップＳ１０６）。最終ページでなければ（ステップＳ１０６；Ｎｏ）、該次ページを飛ばし、処理対象をさらにその次のページに進めて（ステップＳ１０７）、ステップＳ１０５に戻って処理を継続する。最終ページならば（ステップＳ１０６；Ｙｅｓ）、当該最終ページの全体を表示し、ページめくりモードを解除して（ステップＳ１０８）、本処理を終了する。
【００８８】
該当オブジェクトが存在する場合は（ステップＳ１０５；Ｙｅｓ）、現在のページめくり方向での次のページを、指定領域のみ表示し指定領域以外を空白とする態様で表示して（ステップＳ１０９）、ステップＳ１１０へ移行する。すなわち、図７〜図９に示すように指定領域のみを表示してページめくりを行う。なお、属性で領域判別する場合、前述したような方法（画像判別やタグ情報を利用する方法）で指定された属性を有するオブジェクトを検出する。
【００８９】
ステップＳ１１０では、表示中のページが表示中の文書の現在のページめくり方向における最終ページか否かを判断し、最終ページの場合は（ステップＳ１１０；Ｙｅｓ）、表示中のページの全体を表示し（ステップＳ１０４で既に全体を表示している場合は表示を変更しない）、ページめくりモードを解除して（ステップＳ１１２）、本処理を終了する。
【００９０】
最終ページでない場合は（ステップＳ１１０；Ｎｏ）、ページめくり操作が終了したか否かを調べる（ステップＳ１１１）。ページめくり操作が終了（ページめくり釦３４が離された）した場合は（ステップＳ１１１；Ｙｅｓ）、ステップＳ１１２へ移行する。ページめくり操作が終了でない場合は（ステップＳ１１１；Ｎｏ）、ステップＳ１０３へ戻って処理を継続する。
【００９１】
このように、本実施の形態に係る文書閲覧装置１０では、ページ内の位置やオブジェクトの属性によってユーザから指定された指定領域のみを表示してページめくりを行うので、余計な情報がページ内に表示されなくなり、ページ全体が表示される場合に比べて、ユーザは目的の情報が存在するページを容易に見つけ出すことができる。
【００９２】
すなわち、目的の情報が掲載されているページをページめくりによって探す場合、ユーザはその目的の情報がページ内のどの場所に存在するか、あるいは、写真、文字、図形などいかなる属性の情報であるかを知っている場合が多い。したがって、本実施の形態の文書閲覧装置１０では、ユーザから指定された閉領域やユーザから指定された属性を有するオブジェクトのみを表示してページめくりを行うので、ユーザは、余計な情報に煩わされることなく比較的容易に目的の情報の掲載されたページを見つけ出すことができる。
【００９３】
また、指定領域のみ表示を書き換えればよいので、ページめくり中における、表示内容の書き換えに伴う電力消費を少なく抑えることができる。
【００９４】
以上、本発明の実施の形態を図面によって説明してきたが、具体的な構成は実施の形態に示したものに限られるものではなく、本発明の要旨を逸脱しない範囲における変更や追加があっても本発明に含まれる。
【００９５】
実施の形態では、場所の指定により指定領域を指定する場合の例としてペンで閉領域を描くことで指定領域を指定する態様を例示したが、たとえば、図１１に示すように、予め表示部１５のページ表示領域３１を複数のブロックに分割しておき、１または２以上のブロックの指定によって指定領域を指定するように構成されてもよい。図１１の例では１〜６の識別番号の付与された６個の矩形のブロックに分割されている。ブロックの指定方法としては、たとえば、図１１に示すような画面が表示され、ペンや指でブロックを押下するとそのブロックが指定領域に指定される方法、あるいは、各ブロックに識別番号を付与しておき、キー入力等で番号の指定を受ける方法で指定領域の指定を受けるように構成されてもよい。複数のブロックを選択可能としてもよい。場所で指定領域を指定する方法はこれに限定されず任意でよい。
【００９６】
また、実施の形態ではページめくり釦３４を押下するとページめくりモードに入り、継続して押下中は次々のページめくりが行われ、ページめくり釦３４を離すとページめくりモードが終了して解除されるという操作方法を例示したが、ページめくりモードへの移行・解除はこれに限定されない。たとえば、フリック操作でページめくり操作を受け付けるようにし、最初のフリック操作を受けたときページめくりモードに入り、所定時間内に次のフリック操作を受けた場合はページめくりモードを継続し、所定時間内に次のフリック操作を受けない場合にページめくりモードを解除するように構成されてもよい。
【００９７】
また、ページめくり釦３４とは別に、ページめくりモードへの移行、解除を行うための操作釦を設け、該操作釦の操作に従ってページめくりモードへの移行・解除を制御するようにしてもよい。
【００９８】
実施の形態では、オブジェクトの属性によって指定領域を指定した場合に、該当するオブジェクトの表示される位置をページ内でのそのオブジェクトの実際の位置にしたが、書き換え量をより減らすために、たとえば、各該当オブジェクトをページの中央に移動させて表示してもよいし、そのような指定を選択可能にしてもよい。
【００９９】
実施の形態では、指定領域にされた閉領域の内外の境界線を表示するようにしたが、該境界線を表示しないようにしてもよい。
【０１００】
指定領域の指定方法や指定の際に表示される画面は実施の形態で例示したものに限定されない。たとえば、文書閲覧装置１０と通信可能な情報処理装置５において、指定領域の指定を受け付け、その指定内容を示す情報を情報処理装置５から文書閲覧装置１０が受信するように構成されてもよい。
【０１０１】
また、該当オブジェクトがないためにページを飛ばした際に、ページが飛ばされたことをユーザに、表示や音で、通知してもよい。
【０１０２】
また、指定領域の設定を予め複数種類登録でき、その中からユーザが任意の設定を選択できるように構成されてもよい。また、ユーザ別に指定領域の設定を登録できるようにしておき、ユーザ認証により、その認証されたユーザに対応する設定が有効になるようにしてもよい。
【０１０３】
閉領域の指定方法は、ペンや指などで押下された軌跡で囲む方法に限定されない。マウスなどのポインティングデバイスによって閉領域が指定されてもよい。また、矩形や円などの描画ツールで図形を描画すると、その図形の部分が指定領域として指定されるようにしてもよい。
【０１０４】
実施の形態では、電力の消費なしに表示内容を保持でき、表示内容の書き換え時に電力を消費する電子ペーパを表示部１５として採用した例を示したが、表示部はこれに限定されるものでなく、液晶ディスプレイなどでもかまわない。
【符号の説明】
【０１０５】
５…情報処理装置
１０…文書閲覧装置
１１…システム制御部
１２…データ記録部
１３…操作部
１４…表示処理部
１５…表示部
１６…通信部
１７…電源状態監視部
１８…電源ユニット
３１…ページ表示領域
３２…システム情報領域
３３…ツールバー
３４…ページめくり釦
３５…ページめくり設定釦
４０…ページめくり設定画面
４１…閉領域指定欄
４２…文字領域指定欄
４３…図形領域指定欄
４４…写真領域指定欄
５０…ページめくり設定画面
５１…閉領域指定欄
５２…見出し文字指定欄
５３…斜体文字指定欄
５４…太字指定欄
５５…下線付き文字指定欄
５６…図形領域指定欄
５７…写真領域指定欄
５８…赤指定欄
５９…緑指定欄
６０…青指定欄
６１…黒指定欄
７１…指定領域
７２…写真の属性を有するオブジェクト
７３…閉領域
【図１】
2014119974.tif 000003
【図２】
2014119974.tif 000004
【図３】
2014119974.tif 000005
【図４】
2014119974.tif 000006
【図５】
2014119974.tif 000007
【図６】
2014119974.tif 000008
【図７】
2014119974.tif 000009
【図８】
2014119974.tif 000010
【図９】
2014119974.tif 000011
【図１０】
2014119974.tif 000012
【図１１】
2014119974.tif 000013